(57)【要約】無線情報装置においてローカルにキャッシュされたＥメールメッセージのヘッダー情報を残し、当該装置におけるメモリー領域を開放するために少なくとも本文又はアタッチメントのいずれかを削除するＥメールマネージャプログラムがプログラムされた無線情報装置。ヘッダー情報は、送信者名、Ｅメールメッセージの件名及び日付が典型的に含まれる。本アプローチでは、ＷＩＤ上のメモリースペースの開放を目的としてＥメールメッセージ全体を削除する必要もないし、ＷＩＤによるアタッチメントデータの受信を禁止するといった、Ｅメール機能の制限を課す必要もない。その代わりに、ユーザは手動で（又は、ＷＩＤ自体が自動で）ＷＩＤにローカルに格納されているＥメールのヘッダー情報を除くすべてを削除することができる。これにより、不完全なＥメールについてのオフライン操作（ソート、移動、返信など）が可能となる。オリジナルのＥメールは、オリジナルのメールサーバと同期して、削除されたコンテンツを補って復元することができる。【特許請求の範囲】
【請求項１】
無線情報装置においてローカルにキャッシュされたＥメールメッセージのヘッダー情報を残し、前記無線情報装置におけるメモリー領域を開放するために少なくとも本文又は前記Ｅメールメッセージへのアタッチメントのいずれかを削除するＥメールマネージャプログラムがプログラムされた無線情報装置。
【請求項２】
Ｅメールマネージャプログラムは、手動で始動されることを特徴とする請求項１に記載の装置。
【請求項３】
Ｅメールマネージャプログラムは自動的に始動され、所定の状況が満たされる場合に前記少なくとも本文又は１以上のＥメールへのアタッチメントのいずれかを削除させる所定のルールを利用して動作することを特徴とする請求項１に記載の装置。
【請求項４】
前記所定の条件は、少なくとも前記Ｅメールの受信後の経過日数又はサイズのいずれかに関連することを特徴とする請求項１に記載の装置。
【請求項５】
前記少なくとも本文又はアタッチメントのいずれかは、前記オリジナルのＥメールメッセージを復元するために、リモート・メール・サーバから回復されることを特徴とする請求項１に記載の装置。
【請求項６】
前記ヘッダ情報は、オフライン操作を実行するために利用されることを特徴とする請求項１に記載の装置。
【請求項７】
前記オフライン操作は、
（ａ）フィルタリング
（ｂ）移動
（ｃ）返信
（ｄ）後におけるメールサーバからの削除
のうちの１以上を含むことを特徴とする請求項１に記載の装置。
【請求項８】
前記Ｅメールメッセージは、あらゆるフォーマットのコンテンツを備えることを特徴とする請求項１に記載の装置。
【請求項９】
前記コンテンツフォーマットは、
（ａ）テキスト
（ｂ）イメージ
（ｃ）音声
（ｄ）音楽
のうち１以上であることを特徴とする請求項１に記載の装置。
【請求項１０】
無線情報装置において受信されたＥメールを管理する方法であって、前記無線情報装置にローカルにキャッシュされたＥメールメッセージのヘッダ情報を残し、前記無線情報装置におけるメモリースペースを開放するために少なくとも本文又はアタッチメントのいずれかを削除する工程を備えることを特徴とする方法。
【請求項１１】
無線情報装置にローカルにキャッシュされたＥメールメッセージのヘッダ情報を残し、前記無線情報装置におけるメモリースペースを開放するために少なくとも本文又はアタッチメントのいずれかを削除するようにプログラムされたコンピュータソフトウエア。
【発明の詳細な説明】
【背景技術】
【０００１】
［技術分野］
本発明は、Ｅメールをリモート・メール・サーバから受信する無線情報装置（wireless information device）のためのＥメールマネージャプログラムに関する。本願明細書において「無線情報装置」の語はツーウェイ（２Ｗａｙ）の無線情報能力を有するいかなる装置をも包含するように広く解釈されるべきであり、無線電話機（radio phones）、スマートフォン(smart phones)、コミュニケーター(communicators)、パーソナル・コンピュータ、コンピュータ、及び、特定用途向けの装置(application specific devices)を、これらに限定されることなく含むものである。また、無線情報装置は、例えば、ＧＳＭやＵＭＴＳ、ＣＤＭＡ及びＷＣＤＭＡ移動体無線、ブルトゥース、802.11、ＩｒＤＡ等のあらゆる種類のネットワークにおいてあらゆる方式において通信が可能な装置を含む。
【０００２】
［先行技術の記載］
無線情報装置（以下、ＷＩＤと略す。）、典型的なポータブルコンピュータ、又はスマートフォンは、一般にＥメールアプリケーションを提供する。最もコーポレートな構成においては、メールはメールサーバへダウンロードされ、ＷＩＤはＥメールをダウンロードするために当該メールサーバへ接続する。この接続は一時的であったり、常時接続であったりする。リモート・Ｅメールサーバは、接続された各ＷＩＤ宛の或いは、当該ＷＩＤからの全てのＥメールのマスターコピーを保持する。各ＷＩＤは、当該メールサーバと接続し同期したときに、メールをダウンロードする。
【０００３】
メモリーの制約はＷＩＤにおいて極めてシビアであり、それゆえにＥメールにより占められるメモリースペースを減少させるためのメカニズムを、ユーザが直ちに理解でき、かつ操作できる方法において提供することは重要である。
【０００４】
従来のシステムは、ユーザーにＥメール全体（ヘッダー、本文及びアタッチメント）の削除を要求することによって、この問題を取り扱っていた。もし、ユーザーがその後に当該Ｅメールを見たい場合には、メールサーバと再度同期を取って新しいコピーをダウンロードしなければならない。これは、特にＥメールの長いリストに目を通し重要性の低いメッセージを削除していくことは時間がかかるために、ユーザーの不満を増長させることとなりかねない。Ｅメール全体の削除は、メモリー制約を受けているユーザや、多数のメールを受信するために利用可能なメモリーをすぐに使い切ってしまうようなユーザが頻繁に行う操作である。
【０００５】
Ｅメールのメモリーオーバーヘッドを削減するための従来の別のアプローチは、装置においてＥメール機能に厳しい制限を課すことである（例えば、アタッチメントはサイズが大きくなりかねないために、その添付を禁止したりする。）。しかし、このアプローチではユーザーに不便を強いることとなる。
【０００６】
［発明の概要］
本発明の第一の側面では、無線情報装置においてローカルにキャッシュされたＥメールメッセージのヘッダー情報を残し、当該装置におけるメモリー領域を開放するために少なくとも本文又はアタッチメントのいずれかを削除するＥメールマネージャプログラムがプログラムされた無線情報装置が提供される。
【０００７】
ヘッダー情報は、例えば、Ｅメールメッセージの送信者名、件名（subject）、及び日付等の基本的な情報を典型的に含んでいる。それは実際には、メッセージ内容を含む封筒（envelope）であり、メッセージを正しい受取人へ転送することを可能とするものである。
【０００８】
本アプローチによれば、ＷＩＤにおけるメモリースペースを開放するためにＥメールメッセージ全体（若しくは「Ｅメール」）を削除する必要がなくなるだけでなく、ＷＩＤにおいてアタッチメントの受信を禁止するといったＥメール機能の制限を課す必要がなくなる。その代わりに、ユーザーは手動で（又は、ＷＩＤにより自動的に）ＷＩＤ内にローカルに格納されているＥメールのヘッダー情報を除いた全てを削除することができる。「キャッシュされた（cached）」との語を利用するのは、ローカルに格納されたＥメールは、リモートメールサーバーに格納されている対応するＥメールの（少なくとも部分的な）複製だからである。
【０００９】
このアプローチによりＥメールによって占有されるメモリースペースを著しく削減することができる一方、ユーザに多くの有用なＥメール機能を実行することを可能とするものである。例えば、もし大きなアタッチメントが付加されたＥメールをＷＩＤが受信した場合、ユーザは当該アタッチメントを参照した後、当該アタッチメントをＷＩＤに格納する必要がないと決定することができ、その場合には、当該アタッチメントのみを削除して、Ｅメールの本文及びヘッダーは残しておくことができる。当該Ｅメールには、「不完全」であることを示すマークがＥメールのリスト上に付されてＷＩＤに表示される。また、Ｅメールを適当なフォルダに移動させたり、返信をドラフトしたり、ヘッダー情報に適用されるフィルタを利用してソートしたり、メールサーバ上のＥメールのマスターコピーを削除したりするといった、オンライン操作（即ち、メールサーバとの接続を必要としない操作）は依然としてＥメールについて実行可能である。
【００１０】
Ｅメールメッセージは、いかなるフォーマットの内容を含んでいてもよく、その中には、テキスト、イメージ、音声、音楽などが含まれる。選択的にヘッダー情報のみを残す性能は、ピクチャーメッセージ（例えば、カメラを備える移動体電話端末間で送信される電子的イメージであり、これらはテキスト内容を全く含まなくてもよい。）のようないくつかの非テキスト類のＥメールについて、特に有用である。ピクチャメッセージ（通常はＭＩＭＥフォーマット）は、かなりのスペースを占有し得るものであり、許容可能なレベルにおいてユーザーのＷＩＤにこれらのイメージを保持させておくことを可能とする、簡単に利用可能な方法を提供することは重要である。本発明によれば、ＷＩＤにピクチャ・メッセージをダウンロードするだけでなく、参照頻度やＥメールの受信後の経過時間（e-mail age）に基づくルールを、当該イメージをＷＩＤ上に保存しておくことがどの程度重要であるかを決定するために適用し、また、ユーザーに当該イメージをＷＩＤから削除できるかどうかを決定させることを可能とするものである。しかし重要なことは、もしユーザーがピクチャを削除しても、当該ユーザーのＷＩＤにはオリジナル・メッセージのヘッダーが残っているということである。よって、ユーザーは（当該ピクチャを格納していると思われる）メールサーバから、単にオリジナルのピクチャ・メッセージを選択し（例えば次にサーバに接続した際に）ＷＩＤを当該ピクチャを再取得するようにセットするだけで、当該ピクチャを簡単に取得することができるので、オリジナルのＥメールを復元することができる。これによりユーザーは、たとえメッセージに関連するピクチャがＷＩＤ上にローカルに格納されていなくても、それらをＷＩＤ上に復帰させることは容易であると知っているので、到来するピクチャ・メッセージをフォルダなどに整理することができる。
【００１１】
しかしながら従来のシステムでは、メールサーバからメッセージ全体の完全な新しいコピーのダウンロードが要求されるので、メッセージをフォルダ内に整理するのに時間を要することになる。また、多くのユーザーはメッセージをフォルダ内に整理せず、代わりに到来したすべてのＥメールを単一リスト内に保持したままとしており、関連するＥメールを探し出すためにはフィルター（例えば、件名、送信者、日付など）に頼っている。本発明は、ユーザーがこのアプローチの利用を継続することが可能である。というのも、本発明では、先行技術におけるアプローチと異なり、ＷＩＤ上にローカルに格納されたＥメール全体が削除されることなく、少なくとも本文又はアタッチメントのいずれかが削除され、フィルタが機能するために必要なヘッダ情報は完全に保持されるからである。
【００１２】
本発明の別の側面では、無線情報装置において受信したＥメールを管理するための方法が提供される。当該方法は、当該装置にローカルにキャッシュされたＥメールメッセージのヘッダ情報を残し、当該装置におけるメモリースペースを開放するために少なくとも本文又はアタッチメントのいずれかを削除する工程を備えるものである。
【００１３】
本発明の最後の側面では、無線情報装置にローカルにキャッシュされたＥメールメッセージのヘッダ情報を残し、当該装置におけるメモリースペースを開放するために少なくとも本文又はアタッチメントのいずれかを削除するようにプログラムされたコンピュータソフトウエアが提供される。
【００１４】
［詳細な記述］
本発明は、コミュニケータやスマートフォン用のシンビアンＯＳオペレーティングシステム上で利用できる。当該シンビアンＯＳは、英国シンビアン・リミテッドより入手できる。このシステムにおいて、Ｅメールの少なくとも本文テキスト又はアタッチメントのいずれかを、装置で受信されローカルに格納されたＥメールメッセージから（手動で、又は、ルール若しくはタイムスケジュールに基づいて自動で）削除することができる一方、後々当該メッセージを送信したメールサーバから回復することができる。これにより装置上の容量不足のメモリーを開放することが可能となり、（ａ）更にユーザーは、Ｅメールについて、ヘッダ情報のみを必要とするオフラインオペレーション（例えば、フォルダ内のソート、返信原稿の作成等）を実行することが可能となり、（ｂ）少なくとも本文又はアタッチメントのいずれかを容易に回復することで、完全に新たなＥメールとしてではなく装置上の元々のＥメールを復元することが可能となる。それは、Ｅメールエンベロープ情報を本文データから分離して、エンベロープから本文データを独立に削除可能にすることで機能する。本文データが削除された後、Ｅメールエントリは、Ｅメールの本文データがダウンロードされる以前の同期した状態に回復される。それは、「不完全」であるとの印がつけられるが、ユーザーは依然として視認可能である。
【００１５】
本発明は、ノキア９２１０コミュニケータに実装され、そのオペレーションは、ＥメールをＰＯＰ３やＩＭＡＰ４を介してフェッチした後オフラインに移行すると確認することができる。もし、ユーザーがオフライン時にＥメールを削除しようとした場合、Ｅメールは受信メールのリスト画面に表示されたままであり、オフラインオペレーションにおいて依然として選択することができる。しかし、本文は装置及び開放されたディスクスペースから削除されてしまっている。また、もしいくつかのＥメールがメールサーバからフェッチされ、オプションとして「直ちに削除」が「ツール」のドロップ・ダウン・メニューから選択される場合は、ダウンロードされた全てのＥメールの本文が削除されることになる。ディスクスペースは開放されるが、Ｅメールは依然としてリモート・サービスに存在するので、異なるフォルダやディレクトリへのコピーや移動、メールサーバからの削除、メッセージの復元のような操作を実行するためにその後に同期を取る必要がない。
【００１６】
シンビアンＯＳに実装される際に利用されている実際のＡＰＩは、以下に記載するようになる。
【００１７】
［非接続モード・キャッシュ・マネジメント・ＡＰＩ(Disconnected Mode cache Management APIs)］
非接続モード（即ち、メールサーバに接続されていないということ）において利用されるローカルのＷＩＤにおけるメールボックスは、メールボックスから直接にメッセージを開くことにより、ユーザのメッセージデータへのアクセスを可能とする。もし要求されるメッセージが前もってダウンロードされた場合は、再度ダウンロードする必要がない。この機能は、リモート・サービス・エントリ下においてＷＩＤにローカルにメッセージデータを保持しておくことにより達成される。保持されたメッセージデータは、ユーザが毎回ダウンロードせずに当該メッセージにアクセスするためのキャッシュとして作用する。
【００１８】
しかしながらキャッシュ・マネジメント機能は、メッセージのキャッシュによって消費されるメモリー量を削減するために必要とされる。これは、本文テキスト及びアタッチメントデータを適当なメッセージから削除することによって達成される。ここで注目すべきは、テキスト及びアタッチメントデータが削除される一方で、メッセージの構造はＷＩＤにローカルに保存されることである。トップレベルのヘッダー情報（例えば、送信者、件名、送信日など）のみを残して、当該構造を削除することも可能である。
【００１９】
より多くのメッセージデータを削除することは、メモリーをより開放することとなるが、ユーザーがもう一度メッセージをダウンロードすることが必要となる可能性がより高くなる。キャッシュ・マネジメントの実装により、ユーザーはどのメッセージを処理するかを決定するために適切なフィルターを実行する機会が与えられる。このフィルターでは、例えば、「１週間以上経過した全ての既読メッセージ」、「２０Ｋ以上のサイズを有し１日以上経過した全ての既読メッセージ」に限定することができる。
【００２０】
いくつかのクラスはキャッシュ・マネジメントＡＰＩにより転送されるが、最も一般に利用されるのはCImCacheManagerであろう。
【００２１】
［CImCacheManager］
このクラスは、非同期にメッセージ・ツリーを横断するための、また、テキスト及びアタッチメントデータを適切なメッセージから削除するためのメカニズムを提供する。それはアブストラクト基底クラス（abstract base class）であるので、フィルタ関数を実行するためには、それが利用可能となる前にcallerはそれに由来するものでなければならない。
【００２２】
2004536507.tif 000002
【００２３】
2004536507.tif 000003
この関数は、キャッシュ・マネジメント・オペレーションを開始するために呼び出される。それは、所定のルートエントリから始まるメッセージを再起的に処理する。
【００２４】
TMsvId aRootEntry：開始エントリを特定し、全てのサブエントリが検索される。
TRequestStatus &aStatus：オペレーションがエラーなく完了した後にKerrNoneをセットする
【００２５】
2004536507.tif 000004
以下の進行構造（progress structure）にキャストされえるパッケージバッファを戻す:
2004536507.tif 000005
CImCacheManagerオブジェクトが開始された後直ちに進行オペレーションは、メッセージの全数に関係なくitotalMessageへ１を返し、iMessagesProcessedへ０を返す。これは、iTotalMessagesのためのカウンタが非同期で動作し、そのときのメッセージの全てをカウントしないためである。iTotalMessagesとiMessageProcessedとの比率は、ゲージタイプダイアログにとって常に正確であり、iTotalMessagesは、０エラーによるありうべき分割を避けるために決して０にならないであろう。
【００２６】
2004536507.tif 000006
この関数は、CImCacheManagerから導かれるいかなるクラスにおいても実装されなければならない。StartLコマンドが発行された後、この関数は各メッセージエントリについて一度呼び出される。この関数は、もし現在のメッセージ（iCurrentEntry）に属する本文テキスト及びアタッチメントデータが削除されるべき場合は、ETrueを返す。もし現在のメッセージをそのままにする場合にはEFalseを返す。
【００２７】
2004536507.tif 000007
CimCacheManagerから導かれる全てのクラスは、StartL関数が呼び出される前にこの関数を呼び出さなければならない。
【００２８】
［CimPruneMessage］
このクラスは、CimCacheManagerによって内部的に利用されるが、それと連動して利用される必要はない。このクラスは、本文テキスト及びアタッチメントデータを特定のメッセージから個々に削除する機能を提供するためにエクスポートされる。CimPruneMessageは、ポピュレーティング操作が失敗した後に利用することができる。それは、メッセージ構造を維持しつつ、本文テキスト及びアタッチメントデータをリモート・メッセージから削除するために利用することができる。
2004536507.tif 000008
【００２９】
2004536507.tif 000009
CImPruneMessageオブジェクトの生成
CMsvEntry& aEntry：CMsvEntryは、テキストデータを削除し、アタッチメントファイルを配置する（locate）ために利用される。
RFs& aFs：ファイルシステムが扱う。アタッチメントファイルの削除に必要となる。
【００３０】
2004536507.tif 000010
CImPruneMessageオブジェクトの開始
TMsvId aMessageEntry：本文テキストとアタッチメントデータが除去されるであろうエントリのTMsvId。
TRequestStatus&aStatus：もし本文テキストと全てのアタッチメントが削除された場合にKErrNoneと共に完了する。
【国際公開パンフレット】
2004536507.tif 000011
2004536507.tif 000012
2004536507.tif 000013
2004536507.tif 000014
2004536507.tif 000015
2004536507.tif 000016
2004536507.tif 000017
2004536507.tif 000018
2004536507.tif 000019
2004536507.tif 000020
2004536507.tif 000021
2004536507.tif 000022
2004536507.tif 000023
【国際公開パンフレット（コレクトバージョン）】
2004536507.tif 000024
【手続補正書】
【提出日】平成15年10月20日(2003.10.20)
【手続補正１】
【補正対象書類名】特許請求の範囲
【補正対象項目名】全文
【補正方法】変更
【補正の内容】
【特許請求の範囲】
【請求項１】
リモートメールサーバからＥメールを受信するクライアント装置として動作する無線情報装置であって、前記無線情報装置にローカルに格納されたＥメールメッセージのヘッダー情報を残し、前記無線情報装置におけるメモリー領域を開放するために少なくとも本文又は前記Ｅメールメッセージへのアタッチメントのいずれかを削除するＥメールマネージャプログラムがプログラムされていることを特徴とする無線情報装置。
【請求項２】
Ｅメールマネージャプログラムは、前記装置のエンドユーザにより手動で始動されることを特徴とする請求項１に記載の装置。
【請求項３】
Ｅメールマネージャプログラムは自動的に始動され、所定の状況が満たされる場合に前記少なくとも本文又は１以上のＥメールへのアタッチメントのいずれかを削除させる所定のルールを利用して動作することを特徴とする請求項１に記載の装置。
【請求項４】
前記所定の条件は、少なくとも前記Ｅメールの受信後の経過日数又はサイズのいずれかに関連することを特徴とする請求項１に記載の装置。
【請求項５】
前記少なくとも本文又はアタッチメントのいずれかは、前記オリジナルのＥメールメッセージを復元するために、リモート・メール・サーバから回復されることを特徴とする請求項１に記載の装置。
【請求項６】
前記ヘッダ情報は、オフライン操作を実行するために利用されることを特徴とする請求項１に記載の装置。
【請求項７】
前記オフライン操作は、
（ａ）フィルタリング
（ｂ）移動
（ｃ）返信
（ｄ）後におけるメールサーバからの削除
のうちの１以上を含むことを特徴とする請求項１に記載の装置。
【請求項８】
前記Ｅメールメッセージは、あらゆるフォーマットのコンテンツを備えることを特徴とする請求項１に記載の装置。
【請求項９】
前記コンテンツフォーマットは、
（ａ）テキスト
（ｂ）イメージ
（ｃ）音声
（ｄ）音楽
のうち１以上であることを特徴とする請求項１に記載の装置。
【請求項１０】
リモートメールサーバからＥメールを受信するためのクライアント装置として動作する無線情報装置において受信されたＥメールを管理する方法であって、前記無線情報装置にローカルに格納されたＥメールメッセージのヘッダ情報を残し、前記無線情報装置におけるメモリースペースを開放するために少なくとも本文又はアタッチメントのいずれかを削除する工程を備えることを特徴とする方法。
【請求項１１】
リモートメールサーバからＥメールを受信するためのクライアント装置として動作する無線情報装置にローカルに格納されたＥメールメッセージのヘッダ情報を残し、前記無線情報装置におけるメモリースペースを開放するために少なくとも本文又はアタッチメントのいずれかを削除するようにプログラムされたコンピュータソフトウエア。
【手続補正２】
【補正対象書類名】明細書
【補正対象項目名】０００６
【補正方法】変更
【補正の内容】
【０００６】
［発明の概要］
本発明の第一の側面では、無線情報装置であって、リモートメールサーバからＥメールを受信するためのクライアント装置として動作し、当該装置においてローカルに格納されたＥメールメッセージのヘッダー情報を残し、当該装置におけるメモリー領域を開放するために少なくとも本文又はアタッチメントのいずれかを削除するＥメールマネージャプログラムがプログラムされていることを特徴とする無線情報装置が提供される。


【手続補正３】
【補正対象書類名】明細書
【補正対象項目名】０００８
【補正方法】変更
【補正の内容】
【０００８】
本アプローチによれば、ＷＩＤにおけるメモリースペースを開放するためにＥメールメッセージ全体（若しくは「Ｅメール」）を削除する必要がなくなるだけでなく、ＷＩＤにおいてアタッチメントの受信を禁止するといったＥメール機能の制限を課す必要がなくなる。その代わりに、ユーザーは手動で（又は、ＷＩＤにより自動的に）ＷＩＤ内にローカルに格納されているＥメールのヘッダー情報を除いた全てを削除することができる。「キャッシュされた（cached）」との語を利用するのは、ローカルにキャッシュされたＥメールは、リモートメールサーバーに格納されている対応するＥメールの（少なくとも部分的な）複製だからである。


【手続補正４】
【補正対象書類名】明細書
【補正対象項目名】００１２
【補正方法】変更
【補正の内容】
【００１２】
本発明の別の側面では、リモートメールサーバからＥメールを受信するためのクライアント装置として動作する無線情報装置において受信したＥメールを管理するための方法が提供される。当該方法は、当該装置にローカルに格納されたＥメールメッセージのヘッダ情報を残し、当該装置におけるメモリースペースを開放するために少なくとも本文又はアタッチメントのいずれかを削除する工程を備えることを特徴とする。


【手続補正５】
【補正対象書類名】明細書
【補正対象項目名】００１３
【補正方法】変更
【補正の内容】
【００１３】
本発明の最後の側面では、リモートメールサーバからＥメールを受信するためのクライアント装置として動作する無線情報装置にローカルに格納されたＥメールメッセージのヘッダ情報を残し、当該装置におけるメモリースペースを開放するために少なくとも本文又はアタッチメントのいずれかを削除するようにプログラムされたコンピュータソフトウエアが提供される。




【国際調査報告】
2004536507.tif 000025
2004536507.tif 000026
2004536507.tif 000027